(57)【特許請求の範囲】
【請求項１】
吸気口と排気口とを有し、少なくとも一部が放熱部材で構成された筐体と、
前記筐体の内部に配置され、光を電気信号に変換するための撮像センサと、
前記筐体の内部に配置され、前記撮像センサからの信号を処理するための第１発熱部品が実装され、前記第１発熱部品と異なる面に第２発熱部品を搭載する第１回路基板と、
前記筐体の内部において前記第１回路基板と並設され、第３発熱部品を搭載する第２回路基板と、
前記第１発熱部品に接触し、熱伝導性および電気絶縁性を有する第１冷却シートと、
前記第１冷却シートに密着して、前記第１冷却シートを介して前記第１発熱部品からの熱を前記筐体に伝熱するための第１放熱板と、
前記第３発熱部品からの熱が伝導するように接触し、熱伝導性および電気絶縁性を有する第３冷却シートと、
前記第３冷却シートに対して密着して、前記第３冷却シートを介して前記第３発熱部品からの熱を前記筐体に伝熱するための第３放熱板と、
前記第１放熱板に隣接するように設けられ、前記吸気口を介して外気を取り込み、その取り込んだ外気により前記第１放熱板を空冷し、前記排気口から吹き出すファンと、を備え、
前記ファンと前記撮像センサとの間にファンダクトカバーの仕切り板が配設され、前記撮像センサ、前記ファンダクトカバー、前記ファン、前記第１回路基板の順に配設されて、前記第１放熱板が前記ファンと前記第１回路基板との間に配設された、撮像装置。
【請求項２】
前記第２発熱部品に接触し、熱伝導性および電気絶縁性を有する第２冷却シートと、
前記第２冷却シートに対して密着して、前記第２冷却シートを介して前記第２発熱部品からの熱を前記筐体に伝熱するための第２放熱板と、を備える請求項１に記載の撮像装置。
【請求項３】
前記筐体と前記第１放熱板とを接続する熱伝導性を有する第１熱伝導シートと、前記筐体と前記第２放熱板とを接続する熱伝導性を有する第２熱伝導シートと、前記筐体と前記第３放熱板とを接続する熱伝導性を有する第３熱伝導シートと、を備える請求項２に記載の撮像装置。
【請求項４】
前記第１放熱板にヒートシンクが設けられ、前記ファンからの外気が前記ヒートシンクの放熱フィンに吹き付けられて前記排気口から吹き出されるように構成された、請求項１に記載の撮像装置。
【請求項５】
前記撮像センサ、前記ファンダクトカバー、前記ファン、前記第１回路基板、および前記第２回路基板の順に配設され、前記第２放熱板と前記第３放熱板が前記第１回路基板と前記第２回路基板との間に配設された、請求項２に記載の撮像装置。
【請求項６】
吸気口と排気口とを有し、少なくとも一部が放熱部材で構成された筐体と、
前記筐体の内部に配置され、光を電気信号に変換するための撮像センサと、
前記筐体の内部に配置され、前記撮像センサからの信号を処理するための第１発熱部品が実装された第１回路基板と、
前記第１発熱部品からの熱を前記筐体に伝熱するための第１放熱板と、
前記第１放熱板に隣接するように設けられ、前記吸気口を介して外気を取り込み、その取り込んだ外気により前記第１放熱板を空冷し、前記排気口から吹き出すファンと、を備え、
前記ファンと前記撮像センサとの間にファンダクトカバーの仕切り板が配設され、前記撮像センサ、前記ファンダクトカバー、前記ファン、前記第１回路基板の順に配設されて、前記第１放熱板が前記ファンと前記第１回路基板との間に配設され、
放熱部材で構成された前記筐体の少なくとも一部に取り付けられ、電流を流すことにより吸熱面と発熱面となる熱電素子を備えた外付け冷却ユニットが設けられ、
前記吸熱面からの空気が前記吸気口に供給されるとともに、放熱部材で構成された前記筐体の少なくとも一部を冷却するように構成され、前記発熱面からの空気が前記吸気口に供給されないように構成された、撮像装置。
【請求項７】
吸気口と排気口とを有し、少なくとも一部が放熱部材で構成された筐体と、
前記筐体の内部に配置され、光を電気信号に変換するための撮像センサと、
前記筐体の内部に配置され、前記撮像センサからの信号を処理するための第１発熱部品が実装された第１回路基板と、
前記第１発熱部品からの熱を前記筐体に伝熱するための第１放熱板と、
前記第１放熱板に隣接するように設けられ、前記吸気口を介して外気を取り込み、その取り込んだ外気により前記第１放熱板を空冷し、前記排気口から吹き出すファンと、を備え、
前記ファンと前記撮像センサとの間にファンダクトカバーの仕切り板が配設され、前記撮像センサ、前記ファンダクトカバー、前記ファン、前記第１回路基板の順に配設されて、前記第１放熱板が前記ファンと前記第１回路基板との間に配設され、
前記筐体が略６面体形状を有し、当該撮像装置を他の部材に固定するための固定部材を少なくとも４面に設けた、撮像装置。
【請求項８】
略６面体形状の前記筐体において、レンズが装着される前面を含む３面で構成されるコーナー部分が当該３面に対して斜めとなる面を有し、当該コーナー部分にタリーライトが配設された、請求項７に記載の撮像装置。
【請求項９】
略６面体形状の前記筐体において、レンズが装着される前面の反対側の背面を含む３面で構成されるコーナー部分に各種端子が配設され、当該各種端子が端子カバーにより保護されるように構成された、請求項７に記載の撮像装置。
【発明の詳細な説明】
【技術分野】
【０００１】
本開示は、撮像装置に関する。
【背景技術】
【０００２】
撮像装置を含む電子機器の分野においては、小型化および軽量化の要望が高く、更には高機能を有する機器が求められている。高機能を有する機器を構築する構成部品には、発熱量が増加する傾向にあり、所望の機能を発揮させる為には冷却が必要となるものがある。特に、撮像装置においては、取り扱いの容易性を考慮して、小型化、軽量化、および高機能化が求められており、構成部品における発熱部品に対する冷却機構が必須の構成となっている。
【０００３】
従来の撮像装置においては、ファンとダクトを設けて冷却流路を装置内に形成し、発熱部品を冷却して高い機能を発揮する構成が提案されている（特許文献１、２参照）。また、発熱部材である撮像素子を回路基板より大きな面積を持つ放熱板に密着するように配設して冷却する構成が提案されている（特許文献３参照）。
【先行技術文献】
【特許文献】
【０００４】
【特許文献１】特開２０１８−１４８５４５号公報
【特許文献２】特開２００２−３２９９９１号公報
【特許文献３】特開２００４−１０４６３２号公報
【発明の概要】
【発明が解決しようとする課題】
【０００５】
上記のように従来の撮像装置において、複数の発熱部品が実装された回路基板を冷却する場合には、ファン、ダクト、放熱板などを備えた冷却機構が設けられており、このような冷却機構が装置内部で大きな空間を占めていた。この結果、装置が大型化してしまい、装置の小型化および軽量化という課題に反するものであった。特に、商品小型化のために、回路基板の実装面積が小さくなり、また、回路基板を複数枚設けるような構成の場合には、発熱部品が回路基板の両面に実装され、複数の回路基板に点在して配設される構成となっている。このように撮像装置の小型化を目的として、複数の発熱部品が複数の回路基板に点在して実装される構成においては、従来のような冷却機構を設けた構成では、冷却機構が装置内部で更に大きな空間を占めることとなり、装置の小型化、軽量化、および取り扱いの容易性という観点において解決すべき課題が存在していた。
【０００６】
上記のように、撮像装置における小型化、軽量化、および高機能化を図るためには従来の撮像装置に設けられた冷却機構では未だ改善の余地がある構成であった。
【０００７】
従って、本開示の目的は、上記の課題を解決することであって、小型化、軽量化、および高機能化を図ることができる、取り扱いの容易な撮像装置を提供することにある。
【課題を解決するための手段】
【０００８】
本開示に係る一態様の撮像装置は、
吸気口と排気口とを有し、少なくとも一部が放熱部材で構成された筐体と、
前記筐体の内部に配置され、光を電気信号に変換するための撮像センサと、
前記筐体の内部に配置され、前記撮像センサからの信号を処理するための第１発熱部品と第２発熱部品が実装され、前記第１発熱部品と前記第２発熱部品が異なる面に搭載された第１回路基板と、
前記筐体の内部において前記第１回路基板と並設され、第３発熱部品を搭載する第２回路基板と、
前記第１発熱部品に接触し、熱伝導性および電気絶縁性を有する第１冷却シートと、
前記第１冷却シートに密着して、前記第１冷却シートを介して前記第１発熱部品からの熱を前記筐体に伝熱するための第１放熱板と、
前記第１放熱板に隣接するように設けられ、前記吸気口を介して外気を取り込み、その取り込んだ外気により前記第１放熱板を空冷し、前記排気口から吹き出すファンと、
前記第３発熱部品からの熱が伝導するように接触し、熱伝導性および電気絶縁性を有する第３冷却シートと、
前記第３冷却シートに対して密着して、前記第３冷却シートを介して前記第３発熱部品からの熱を前記筐体に伝熱するための第３放熱板と、を備える。
【発明の効果】
【０００９】
本開示によれば、複数の発熱部品が複数の回路基板に分散して実装された構成においても、各発熱部品に対して効率の高い冷却を行うことが可能となり、小型化、軽量化、高機能化、および取り扱いの容易性を実現することができる撮像装置を提供することができる。
【図面の簡単な説明】
【００１０】
【図１】本開示に係る実施の形態１のカメラの右前方の斜め上から見た斜視図
【図２】実施の形態１のカメラの左後方の斜め上から見た斜視図
【図３】実施の形態１のカメラの右前方の斜め下から見た斜視図
【図４】実施の形態１のカメラの右後方の斜め下から見た斜視図
【図５】実施の形態１のカメラの４面図、（ａ）平面図（天面図）、（ｂ）正面図、（ｃ）右側面図、（ｄ）背面図
【図６】実施の形態１のカメラから交換レンズを取り外したカメラ本体を示す斜視図
【図７】実施の形態１におけるカメラ本体の分解斜視図
【図８】実施の形態１におけるカメラ本体ユニットを示す斜視図
【図９】図８に示したカメラ本体ユニットを更に分解した斜視図
【図１０】実施の形態１におけるメイン回路基板において一部の構成要素を模式的に示す斜視図
【図１１】実施の形態１におけるサブ回路基板において一部の構成要素を模式的に示す斜視図
【図１２】実施の形態１におけるレンズ保持部を示す分解斜視図
【図１３】図９に示した本体フレーム部を更に分解した図
【図１４】実施の形態１のカメラの冷却構造を前側の斜め上から見た分解斜視図
【図１５】実施の形態１のカメラの冷却構造を背面側の斜め上から見た分解斜視図
【図１６】本開示に係る実施の形態２の外付け冷却ユニットを有するカメラを示す斜視図
【図１７】実施の形態２における外付け冷却ユニットを示す斜視図
【図１８】実施の形態２における外付け冷却ユニットを分解して示した斜視図
【図１９】実施の形態２における外付け冷却ユニットによりカメラ本体に対する冷却構造を説明する図
【発明を実施するための形態】
【００１１】
以下、本開示の電子機器および撮像装置の具体的な実施の形態としてボックス型の一眼カメラについて添付の図面を参照しながら説明する。なお、本開示の電子機器および撮像装置は、以下の実施の形態に記載したカメラの構成に限定されるものではなく、以下の実施の形態において説明する技術的特徴を有する技術的思想と同等の技術に基づく電子機器および撮像装置の構成を含むものである。
【００１２】
また、以下の実施の形態において示す形状、構成などは、一例を示すものであり、発明を本開示の内容に限定するものではない。以下の実施の形態における構成要素のうち、最上位概念を示す独立請求項に記載されていない構成要素については、任意の構成要素として説明される。なお、各実施の形態においては、同じ要素には同じ符号を付して、説明を省略する場合がある。
【００１３】
先ず始めに、本開示の撮像装置における各種態様を例示する。
本開示に係る第１の態様の撮像装置は、
吸気口と排気口とを有し、少なくとも一部が放熱部材で構成された筐体と、
前記筐体の内部に配置され、光を電気信号に変換するための撮像センサと、
前記筐体の内部に配置され、前記撮像センサからの信号を処理するための第１発熱部品と第２発熱部品が実装され、前記第１発熱部品と前記第２発熱部品が異なる面に搭載された第１回路基板と、
前記筐体の内部において前記第１回路基板と並設され、第３発熱部品を搭載する第２回路基板と、
前記第１発熱部品に接触し、熱伝導性および電気絶縁性を有する第１冷却シートと、
前記第１冷却シートに密着して、前記第１冷却シートを介して前記第１発熱部品からの熱を前記筐体に伝熱するための第１放熱板と、
前記第１放熱板に隣接するように設けられ、前記吸気口を介して外気を取り込み、その取り込んだ外気により前記第１放熱板を空冷し、前記排気口から吹き出すファンと、
前記第３発熱部品からの熱が伝導するように接触し、熱伝導性および電気絶縁性を有する第３冷却シートと、
前記第３冷却シートに対して密着して、前記第３冷却シートを介して前記第３発熱部品からの熱を前記筐体に伝熱するための第３放熱板と、を備える。
【００１４】
本開示に係る第２の態様の撮像装置は、前記の第１の態様において、前記第２発熱部品に接触し、熱伝導性および電気絶縁性を有する第２冷却シートと、
前記第２冷却シートに対して密着して、前記第２冷却シートを介して前記第２発熱部品からの熱を前記筐体に伝熱するための第２放熱板と、を備える構成としてもよい。
【００１５】
本開示に係る第３の態様の撮像装置は、前記の第２の態様において、前記筐体と前記第１放熱板とを接続する熱伝導性を有する第１熱伝導シートと、前記筐体と前記第２放熱板とを接続する熱伝導性を有する第２熱伝導シートと、前記筐体と前記第３放熱板とを接続する熱伝導性を有する第３熱伝導シートと、を備える構成としてもよい。
【００１６】
本開示に係る第４の態様の撮像装置は、前記の第２または第３の態様において、前記第１放熱板にヒートシンクが設けられ、前記ファンからの外気が前記ヒートシンクの放熱フィンに吹き付けられて前記排気口から吹き出されるように構成されてもよい。
【００１７】
本開示に係る第５の態様の撮像装置は、前記の第２から第４の態様におけるいずれかの態様において、前記ファンと前記撮像センサとの間にファンダクトカバーの仕切り板が配設され、前記撮像センサ、前記ファンダクトカバー、前記ファン、前記第１回路基板、および前記第２回路基板の順に配設されて、前記第１放熱板が前記ファンと前記第１回路基板との間に配設され、前記第２放熱板と前記第３放熱板が前記第１回路基板と前記第２回路基板との間に配設されてもよい。
【００１８】
本開示に係る第６の態様の撮像装置は、前記の第１から第５の態様におけるいずれかの態様において、放熱部材で構成された前記筐体の少なくとも一部に取り付けられ、電流を流すと吸熱面と発熱面となる熱電素子を備えた外付け冷却ユニットが設けられてもよい。
【００１９】
本開示に係る第７の態様の撮像装置は、前記の第６の態様において、前記吸熱面からの空気が前記吸気口に供給されるとともに、放熱部材で構成された前記筐体の少なくとも一部を冷却するように構成され、前記発熱面からの空気が前記吸気口に供給されないように構成されてもよい。
【００２０】
本開示に係る第８の態様の撮像装置は、前記の第１から第５の態様におけるいずれかの態様において、前記筐体が略６面体形状を有し、当該撮像装置を他の部材に固定するための少なくとも４面に固定部材を設けてもよい。
【００２１】
本開示に係る第９の態様の撮像装置は、前記の第８の態様における略６面体形状の前記筐体において、レンズが装着される前面を含む３面で構成されるコーナー部分が当該３面に対して斜めとなる面を有し、当該コーナー部分にタリーライトが配設されてもよい。
【００２２】
本開示に係る第１０の態様の撮像装置は、前記の第８または第９の態様における略６面体形状の前記筐体において、レンズが装着される前面の反対側の背面を含む３面で構成されるコーナー部分に各種端子が配設され、当該各種端子が端子カバーにより保護されるように構成されてもよい。
【００２３】
（実施の形態１）
以下、本開示に係る実施の形態１の撮像装置であるボックス型の一眼カメラについて、図面を参照しながら説明する。実施の形態１のカメラには、モニタが設けられておらず、信号伝送ケーブルを介して接続された外部のパーソナルコンピュータなどで構成される別体の制御ユニットにおいて設定制御、駆動制御、および画像表示などの各種信号処理が行われる構成である。また、実施の形態１のカメラは、同じ構成の複数のカメラを同期して使用することが可能であり、パノラマ映像、３次元映像などの各種映像を高精細で処理することが可能である。更に、実施の形態１のカメラは、小型、軽量であり、遠隔操作することが可能な構成であるため、無人の航空機に搭載して撮影動作を行うことが可能である。
【００２４】
図１から図４は、実施の形態１のボックス型のカメラ１を４方向から見た斜視図である。図１はカメラ１の右前方の斜め上から見た斜視図である。図２はカメラ１の左後方の斜め上から見た斜視図である。図３はカメラ１の右前方の斜め下から見た斜視図である。図４はカメラ１の右後方の斜め下から見た斜視図である。
【００２５】
図１から図４においては、便宜上、互いに直交するＸ軸、Ｙ軸、Ｚ軸を示しており、実施の形態１のカメラ１における前後方向（Ｘ方向）、左右方向（Ｙ方向）、上下方向（Ｚ方向）をＸ軸、Ｙ軸、Ｚ軸を用いて説明する。実施の形態１のカメラ１の説明においては、カメラ本体２に対して交換レンズ３が装着される側（被写体側）を前側とし、カメラ１を前側から見て右側および左側と規定する。なお、以下の説明において、単に、Ｘ方向、Ｙ方向、またはＺ方向と記載した場合には、それぞれの軸方向であり、逆向きの２方向を含む。また、Ｘ軸の正方向と特定した場合には後ろ側から前側への一方向であり、Ｙ軸の正方向と特定した場合には右側から左側への一方向であり、Ｚ軸の正方向と特定した場合には下側から上側への一方向である。
【００２６】
図１から図４に示すように、交換レンズ３が装着されるカメラ本体２が、略６面体形状を有しており、実施の形態１においては、略正方体のボックス型の形状を有している。カメラ本体２には、各種操作を行うための複数のファンクションボタン４およびジョグダイヤル５などが設けられている。また、各種アクセサリーを装着するためのアクセサリーシュー６、制御信号および画像信号などの各種電気信号のための入出力端子、およびカメラ本体２を固定するための固定手段、例えば、ネジ穴（回転止め用係合穴を含む）７などが形成されている。実施の形態１のカメラ本体２の固定手段としてのネジ穴７は、カメラ本体２の上下左右の４面（天面、底面、左面、右面）における複数箇所に設けられている。このため、カメラ本体２は、上下左右のいずれの面にも固定するためのフレームに取り付けることが可能となり、撮影角度の許容範囲を広いものとしている。詳細な構成は後述する。
【００２７】
図１に示すように、実施の形態１のカメラ１は、カメラ本体２の右側面に上下に長い縦長の開口である排気口９が形成されている。また、図２に示すように、カメラ本体２の左側面には上下に長い縦長の開口である吸気口８が形成されている。カメラ本体２の内部にはファン５６（図１３参照）が設けられており、吸気口８から取り入れられた外気がカメラ本体２の内部の冷却流路を通り、排気口９から排気される構成である。実施の形態１のカメラ本体２においては、吸気口８から取り入れられた空気が放熱部材などに直接接触して冷却する強制冷却構造と、放熱部材が外気に接触して冷却される自然冷却構造とを、有している。強制冷却構造および自然冷却構造の詳細な構成に関しては後述する。
【００２８】
［外観構成］
図５は、実施の形態１のカメラ１の４面図であり、（ａ）が平面図（天面図）、（ｂ）が正面図（前面図）、（ｃ）が右側面図、（ｄ）が背面図である。
【００２９】
図５の各図から理解できるように、実施の形態１におけるカメラ本体２の筐体の外観形状としては６面体で構成される略正方体のボックス形状であるが、６面体を構成する主要な６面における２面の境界部分は、それぞれの２面に対して斜めとなる斜面により構成されている。また、主要な３面の境界となる８つのコーナー部分においても、それぞれの３面に対して斜めとなる斜面により構成されている。
【００３０】
図５の（ａ）の平面図に示すように、カメラ１の天面と側面との境界である斜面部分には、各種のファンクション機能を有する複数のファンクションボタン４が設けられている。実施の形態１のカメラ１においては、複数のファンクションボタン４が当該カメラ１における各種機能のための設定、調整などを行う機能を有するものであるが、ここではその機能の詳細については省略する。
【００３１】
実施の形態１のカメラ１の天面には、当該カメラ１に対する各種設定を行うためのジョグダイヤル５、マイクロホンアダプターやフラッシュなどのアクセサリー部品を装着するためのアクセサリーシュー６が設けられている。また、カメラ１を他の保持機材、例えば固定するためのフレームに固定するための複数のネジ穴（雌ネジ）７が設けられている。実施の形態１の構成においては、３個のネジ穴７がＹ方向（左右方向）に一定間隔を有して一列に配設されている。
【００３２】
図５の（ｂ）の正面図に示すように、カメラ本体２の前面側には略正方形の略中央に交換レンズ３が装着される構成である。交換レンズ３のカメラ本体２への装着方法としては、交換レンズ３を回転させて固定するバヨネット式を用いている。但し、本開示の撮像装置においては、この装着方法に限定されるものではなく、一般的に用いられる他の装着方法を適用してもよい。カメラ本体２の正面側には交換レンズ３を取り囲むように電源スイッチ１１、レンズ取り外しボタン１２、および複数のファンクションボタン４が設けられている。
【００３３】
カメラ１の動作状況を表示するタリーライト１０は、主要な３面の境界となるコーナー部分に設けられており、少なくとも３方向から目視可能な位置に配置されている。実施の形態１におけるカメラ本体２においては、タリーライト１０が前面、天面、および右側面の３面の境界となるコーナー部分に配設されている。即ち、カメラ本体２の略６面体形状の筐体において、交換レンズ３が装着される前面を含む３面で構成されるコーナー部分が当該３面に対して斜めとなる面を有しており、このコーナー部分にタリーライト１０が配設されている。カメラ１は、固定手段である複数のネジ穴７が、天面、底面、左側面、および右側面に設けられているため、カメラ１の取り付け位置を変えることにより、前方側は勿論、上下、左右のいずれの方向からもカメラ１の動作状況をタリーライト１０の表示状態により確認することが可能となる。実施の形態１におけるカメラ１の固定手段は、天面、底面、左側面、および右側面の４面に設けられた例で説明するが、本開示はこの構成に限定されるものではなく、カメラ本体２の略６面体形状の筐体において、当該撮像装置１を他の部材に固定するための少なくとも４面に固定手段としての固定部材が設けられていればよい。
【００３４】
図５の（ｃ）はカメラ１の右側面の構成を示すものであるが、制御端子１３、電源入力端子１４が表出するように端子カバー１８、１９（図１参照）が取り外された状態を示している。また、図５の（ｃ）の右側面図においては、カードスロット１５、１６を表出するように、カード扉開閉ボタン１７が操作されてカード扉２０（図１参照）が開いた状態を示している。図５の（ｃ）に示すように、カメラ１の右側面には、縦長の開口である排気口９が形成されており、その排気口９に隣接するように２つのカードスロット１５、１６が設けられている。カードスロット１５、１６にはメモリカードが挿入される。
【００３５】
また、カメラ１の右側面においては、端子カバー１９を取り外すことにより電源入力端子１４が表出する構成である。図５の（ｃ）および（ｄ）に示すように、端子カバー１９が右側面と背面と底面との境界部分であるコーナー部分に配設されているため、端子カバー１９を取り外すことにより、電源入力端子１４に接続される電源入力ケーブル（図示なし）をカメラ１の右側面側、背面側、および底面側のいずれの面側からも導出可能な構成となる。
【００３６】
図５の（ｄ）はカメラ１の背面の構成を示すものであるが、外部機器との各種信号の送受信などを行うための各種接続端子３８が設けられている。カメラ１の背面側に設けられている各種接続端子３８としては、例えば、ＳＤＩ、Ｔｉｍｅ  Ｃｏｄｅ、Ｇｅｎ  Ｌｏｃｋ、ＵＳＢ、ＨＤＭＩ（登録商標）、Ｅａｔｈｅｒｎｅｔ、オーディオ入出力などである。また、カメラ１の背面には、バッテリーを装着するための凹空間であるバッテリー装着部２１が形成されている。
【００３７】
実施の形態１のカメラ１の背面側には、上記のように各種接続端子３８が設けられており、これらの接続端子３８は不使用時に端子カバー２２、２３、２４により覆われており、防滴状態となるように構成されている。カメラ１に設けられた全ての端子カバー１８、１９、２２、２３、２４は、カメラ本体２に対して着脱可能な構成を有し、装着時の防滴効果が確保されている。
【００３８】
前述のように、実施の形態１のカメラ１においては、カメラ本体２の背面と底面と右側面との境界にある右下コーナー部分に電源入力端子１４の端子カバー１９が設けられており（図１および図３参照）、カメラ本体２の背面と底面と左側面との境界にある左下コーナー部分に外部機器との信号伝送を行うための接続端子３８の端子カバー２４が設けられている（図２参照）。即ち、カメラ１の背面側の下側にある左右のコーナー部分の端子カバー１９、２４は取り外せる構成である。端子カバー１９、２４は、電源入力端子１４、接続端子３８に対する各種ケーブルの接続空間を確保している。従って、端子カバー１９、２４を取り外すことにより、複数のカメラ１を隣接して並設した状態においても、それぞれのカメラ１の電源入力端子１４に接続した電源ケーブルおよび信号伝送ケーブルを隣接するカメラ１の配置に影響されることなく容易に接続することが可能となる。
【００３９】
図６は、実施の形態１のカメラ１から交換レンズ３を取り外したカメラ本体２を示す斜視図である。図７は、カメラ本体２の分解斜視図である。図７の分解斜視図は、カメラ本体２を７つのユニットに分解した図である。図７の分解図に示したカメラ本体２は、カメラ本体ユニット３０と、前面ユニット３１と、背面ユニット３２と、左側面ユニット３３と、右側面ユニット３４と、天面ユニット３５と、底面ユニット３６と、により外観となる筐体が構成されている。なお、図７に示す各ユニットは、一体物を示すものではなく、また一機能を奏する構成物でもなく、更に分解可能な構成であるが、便宜上、ユニットと称して説明する。
【００４０】
前面ユニット３１は、カメラ本体２の筐体の前面を構成し、交換レンズ３を装着するためのレンズ用開口２７を有し、レンズ取り外しボタン１２、複数のファンクションボタン４、およびタリーライト１０などが設けられている。
【００４１】
左側面ユニット３３は、縦長の吸気口８を有しており、吸気口８は複数のＸ方向に延びる仕切りにより複数の隙間を有する構成となっている。また、左側面ユニット３３には、カメラ本体ユニット３０に設けたネジ穴７が配置される複数（実施の形態１の構成においては３コ）のネジ用開口２８がＺ方向に一列に配設されている。左側面ユニット３３は、その主要部材が金属材料、例えば、アルミ合金などの熱伝導率が高く、軽量な金属で形成され、放熱部材で構成されている。左側面ユニット３３は、カメラ本体２の内部で生じた熱の伝導経路に設けられており、装置外部に表出しているため、装置外部への放熱機能を有している。
【００４２】
実施の形態１におけるカメラ本体２の底面を構成する底面ユニット３６は、カメラ本体ユニット３０に設けたネジ穴７が配置される複数（実施の形態１の構成においては３コ）のネジ用開口２８がＸ方向に一列に配設されている。底面ユニット３６は、左側面ユニット３３と同様に、その主要部材が金属材料、例えば、アルミ合金などの熱伝導率が高く、軽量な金属で形成され、放熱部材で構成されている。底面ユニット３６は、カメラ本体２の内部の伝導経路に設けられており、装置外部に表出しているため、装置外部への放熱機能を有している。
【００４３】
また、実施の形態１におけるカメラ本体２の天面（頂面）を構成する天面ユニット３５においても、カメラ本体ユニット３０に設けたネジ穴７が配置される複数（実施の形態１の構成においては３コ）のネジ用開口２８がＹ方向に一列に配設されている。実施の形態１における天面ユニット３５は、主要部材が金属材料、例えば、アルミ合金などの熱伝導率が高く、軽量な金属で形成されており、カメラ本体２の内部で生じた熱を放散できる機能を有する。
【００４４】
なお、実施の形態１の構成においては、上記のように、左側面ユニット３３、底面ユニット３６、および天面ユニット３５が放熱機能を有する金属材料で構成した例で説明するが、後述するように、実施の形態１の構成においては、少なくとも、左側面ユニット３３および底面ユニット３６が放熱できる金属材料で構成されていることが好ましく、カメラ本体２の外面を構成する他のユニット（３１、３２、３４、３５）においても、軽量化を果たし、且つ電気伝導材料の使用に問題がなければ、主要部材を金属材料で形成して、放熱効果を更に高める構成としてもよい。
【００４５】
図７に示すように、カメラ本体２の右側面を構成する右側面ユニット３４には、排気口９が形成されており、複数（実施の形態１の構成においては３コ）のネジ用開口２８がＺ方向に一列に配設されている。また、カメラ本体ユニット３０に設けたカードスロット１５、１６を開閉するためのカード扉２０およびカード扉開閉ボタン１７が右側面ユニット３４には設けられている。
【００４６】
カメラ本体２の背面を構成する背面ユニット３２には、図５の（ｄ）に示したように、電源入力端子１４を始め、外部機器との各種信号の送受信を行うための各種接続端子３８およびカメラ本体ユニット３０に設けた接続端子３８に連通する開口などが設けられている。また、背面ユニット３２には、バッテリー装着部２１が形成されており、バッテリーに対する着脱機構が設けられている。
【００４７】
図８は、カメラ本体ユニット３０を示す斜視図である。図８に示すカメラ本体ユニット３０において、天面側、右側面側、左側面側、および底面側に設けられている複数のネジ穴７は、１つの金属ブロック３７に形成されており、一体化するように設けられている。金属ブロック３７は、例えば、アルミ合金などの熱伝導率が高く、軽量な金属で形成されている。金属ブロック３７に対しては、交換レンズ３を装着するためのレンズ保持部２５が固定されている。また、金属ブロック３７には、カメラ本体２の外面を構成する前面ユニット３１、背面ユニット３２、左側面ユニット３３、右側面ユニット３４、天面ユニット３５、および底面ユニット３６が固定される。
【００４８】
カメラ本体ユニット３０は、装着された交換レンズ３の光学系を介して形成された被写体像を撮像して画像データを形成する撮像センサ２６を備えている。撮像センサ２６は、例えば、ＣＣＤイメージセンサ、ＣＭＯＳイメージセンサ、ＮＭＯＳイメージセンサなどで構成される。撮像センサ２６において形成された画像データは、画像処理回路において所定の画像処理が施される。所定の画像処理が施された画像データは、制御回路などによりメモリカードに記録されると共に、外部機器からの指令に基づいて出力される。これらの画像処理回路、制御回路、電源回路などの電気回路を保持する回路基板が、カメラ本体ユニット３０に設けられている。実施の形態１におけるカメラ本体ユニット３０においては、小型化すると共に、ボックス型に構成するために複数の回路基板が所定間隔を有して並んで設けられている。
【００４９】
また、カメラ本体ユニット３０は、回路基板に複数の発熱部品が実装される構成であるため、これらの複数の発熱部品を冷却するための冷却源として１つの小型のファン５６（図１３参照）、例えば、シロッコファンを用いた強制冷却構造と、自然冷却を用いた自然冷却構造により効率的な冷却を行っている。実施の形態１のカメラ１における冷却構造の詳細については後述する。
【００５０】
図９は、カメラ本体ユニット３０を更に分解した斜視図である。図９に示すカメラ本体ユニット３０は、撮像センサ２６を有するレンズ保持部２５と、金属ブロック３７を有する本体フレーム部４０と、メイン回路基板（第１回路基板）４１と、サブ回路基板（第２回路基板）４２と、を含んでいる。メイン回路基板４１には、２枚のメモリカードを装着できるように第１カードスロット１５および第２カードスロット１６が設けられている。メイン回路基板４１は、サブ回路基板４２に比べて、撮像センサ２６に近いため、画像処理回路および信号処理回路などが形成されており、画像処理回路および信号処理回路などに用いられる複数の発熱部品（例えば、画像処理エンジン、ＦＰＧＡなど）４３が実装される。また、サブ回路基板４２は、電源入力および信号入出力の入出力端子に近いため、電源回路、制御回路などが形成されており、これらの回路に用いられている複数の発熱部品（例えば、ＰｏＥトランス、ＰｏＥ  ＦＥＴなど）４３が実装されている。但し、実施の形態１の構成においては、メイン回路基板４１およびサブ回路基板４２に実装される発熱部品を上記のように構成した例で説明するが、本開示においてはこのような構成に限定されるものではない。
【００５１】
図１０は、メイン回路基板（第１回路基板）４１において一部の構成要素を模式的に示す斜視図である。図１０において、（ａ）はメイン回路基板４１の前方側（レンズ側）から見た状態（Ｘ軸の負方向に見た状態）を主として示す斜視図であり、（ｂ）はメイン回路基板４１の後方側（背面側）から見た状態（Ｘ軸の正方向に見た状態）を主として示す斜視図である。
【００５２】
図１０の（ａ）に示すように、メイン回路基板４１の前方側の回路には発熱部品４３（第１発熱部品４３ａ）である３つの画像処理エンジンの各デバイスが実装されている。これらの第１発熱部品４３ａに対しては冷却シート４４（第１冷却シート４４ａ）が貼付されている。冷却シート４４は、優れた熱伝導性および電気絶縁性を有しており、弾性部材で形成されて柔軟性を有している。第１発熱部品４３ａにおける第１冷却シート４４ａの貼付領域は、第１発熱部品４３ａの頂部領域であり、実施の形態１の構成においてはレンズ側に対向する領域の全面に貼付されている。これらの第１冷却シート４４ａは、後述するファン５６により強制冷却される複数の放熱フィンを有するヒートシンク５７が設けられた第１放熱板（図１３参照）４５に対して密着するように配設される。
【００５３】
上記のように、第１発熱部品４３ａの頂部領域に貼り付けられる第１冷却シート４４ａが柔軟性を有しているため、複数の第１発熱部品４３ａのそれぞれにおいて、その頂部の位置（回路基板からの高さ）に違いがあったとしても、その高さ違いを吸収できる構成である。なお、貼付される第１冷却シート４４ａの厚みおよび弾力性は、貼付される第１発熱部品４３ａの形状（回路基板からの高さなど）が考慮されて決定される。
【００５４】
メイン回路基板４１の後方側（背面側）の回路においても、図１０の（ｂ）に示すように、複数の発熱部品４３（第２発熱部品４３ｂ）が実装されている。これらの第２発熱部品４３ｂのそれぞれに対しても冷却シート４４（第２冷却シート４４ｂ）がその頂部の全領域に貼付されている。これらの第２冷却シート４４ｂは、後述するように底面ユニット３６に対して熱伝導するように接続された第２放熱板４６（図１１参照）に対して密着するよう配設される。
【００５５】
図１１は、サブ回路基板（第２回路基板）４２において一部の構成要素を模式的に示す斜視図である。図１１において、（ａ）はサブ回路基板４２の前方側（レンズ側）から見た状態（Ｘ軸の負方向に見た状態）を主として示す斜視図であり、（ｂ）はサブ回路基板４２の後方側（背面側）から見た状態（Ｘ軸の正方向に見た状態）を主として示す斜視図である。
【００５６】
図１１の（ａ）に示すように、サブ回路基板４２の前方側には第２放熱板４６が配設されている。第２放熱板４６は、前述のように、メイン回路基板４１の背面側の回路に実装された第２発熱部品４３ｂに貼付された第２冷却シート４４ｂに密着するように配設される。また、第２放熱板４６は、底面ユニット３６に対して第２熱伝導シート４８ｂを介して熱伝導するように接続されている。このため、第２発熱部品４３ｂからの熱が第２冷却シート４４ｂ、第２放熱板４６、および第２熱伝導シート４８ｂを介して底面ユニット３６に伝熱して、放熱される構成である。
【００５７】
第２放熱板４６は、第２発熱部品４３ｂの頂部領域の第２冷却シート４４ｂに接触する面を有する２つの接触部４６ａ、４６ｂと、底面ユニット３６に対して第２熱伝導シート４８ｂを介して熱伝導するように接続される伝熱部４６ｃと、を含んでいる。図１０の（ｂ）に示したように、実施の形態１の構成においては、メイン回路基板４１の後方側（背面側）の回路には、２つの第２発熱部品４３ｂが少し離間して実装され、第２発熱部品４３ｂのそれぞれに第２冷却シート４４ｂが貼り付けられて、接触している。このため、第２放熱板４６は、それぞれの第２冷却シート４４ｂに接触できるように２つの接触部（第１接触部４６ａおよび第２接触部４６ｂ）を有しており、２つの第２発熱部品４３ｂからの熱を伝熱部４６ｃから第２熱伝導シート４８ｂを介して底面ユニット３６に伝導可能な構成である。
【００５８】
第２放熱板４６の伝熱部４６ｃと底面ユニット３６との間に配設される第２熱伝導シート４８ｂは、第２放熱板４６の配設誤差を厚みにより吸収できる構成である。第２熱伝導シート４８ｂは、冷却シート４４と同様の構成でもよく、優れた熱伝導性能を有すると共に、電気絶縁性能が高く、装置の高い信頼性を確保している。
【００５９】
なお、実施の形態１の構成においては、第２放熱板４６が第２熱伝導シート４８ｂを介して底面ユニット３６に熱伝導可能に接続した例で説明するが、加工精度および電気絶縁性において問題がなければ、第２放熱板４６を底面ユニット３６に直接的に接続した構成とすることも可能である。
【００６０】
図１１の（ｂ）に示すように、サブ回路基板（第２回路基板）４２の背面側の回路には、大きな熱源となる第３発熱部品４３ｃ（例えば、ＰｏＥトランス、ＰｏＥ  ＦＥＴなど）が実装されている。これらの第３発熱部品４３ｃの頂部（背面側頂部）に対して、放熱部材を接触させて放熱させるような構成とすることは困難であり、そのような構成を設けたとしても、発熱部分が基板側に存在するため放熱効率は悪いものとなる。このため、実施の形態１の構成においては、サブ回路基板４２の前側の対応位置に第３冷却シート４４ｃを貼り付け、第３冷却シート４４ｃに第３放熱板４７を密着させる構成としている。また、第３放熱板４７は、第３熱伝導シート４８ｃを介して底面ユニット３６に対して熱伝導するように接続されている。この結果、サブ回路基板４２に実装された第３発熱部品４３ｃの熱は、サブ回路基板４２、第３冷却シート４４ｃ、第３放熱板４７、および第３熱伝導シート４８ｃを介して底面ユニット３６に伝熱して、放熱するよう構成されている。第３熱伝導シート４８ｃは、冷却シート４４と同様の構成でもよく、熱伝導性能および電気絶縁性能を有する。
【００６１】
なお、実施の形態１の構成においては、第３放熱板４７が第３熱伝導シート４８ｃを介して底面ユニット３６に熱伝導可能に接続した例で説明するが、加工精度および電気絶縁性において問題がなければ、第３放熱板４７を底面ユニット３６に直接的に接続した構成とすることも可能である。
【００６２】
また、実施の形態１の構成においては、サブ回路基板（第２回路基板）４２の背面側の回路に第３発熱部品４３ｃを実装した例で説明したが、第３発熱部品４３ｃがサブ回路基板（第２回路基板）４２の前面側に実装される構成においても、第３発熱部品４３ｃからの熱が第３発熱部品４３ｃに接触した第３冷却シート４４ｃを介して第３放熱板４７から底面ユニット３６に伝熱するように構成してもよい。
【００６３】
図１２は、交換レンズ３が装着される、撮像センサ２６を有するレンズ保持部２５を示す分解斜視図である。レンズ保持部２５は、交換レンズ３が固定されるレンズマウントユニット５０と、交換レンズ３との電気的接続端子となるレンズコネクタユニット５１と、撮像センサ２６を保持するレンズセンサユニット５２と、撮像センサ２６からの画像信号を処理する回路を有するレンズセンサ回路基板５３と、レンズセンサ回路基板５３に実装された発熱部品を冷却するためのセンサ放熱板５４と、を備えている。
【００６４】
図１３は、図９に示したカメラ本体ユニット３０における本体フレーム部４０を更に分解した図である。本体フレーム部４０は、軽量であり熱伝導性に優れた金属、例えば、アルミ合金などで形成された金属ブロック３７を主としたフレームユニット５５と、冷却源となるファン５６と、ファン５６の排気領域に設けたヒートシンク（放熱フィン）５７と、撮像センサ２６などを有するレンズ保持部２５とファン５６との間に仕切り板として設けられ、ファン５６により空冷されるファンダクトカバー５８と、ファン５６を所定位置に保持するファンホルダ５９と、ファン５６に隣接して設けられ、メイン回路基板（第１回路基板）４１の発熱部品（４３ａ）など）からの熱を熱伝導して放熱するための第１放熱板４５と、を備えている。第１放熱板４５にはシートシンク５７が固定（ビス締め固定）されている。レンズ保持部２５（図１２参照）とファン５６との間には、ファンダクトカバー５８が設けられており、ファン５６により移動する空気がレンズ保持部２５の撮像センサ２６などの配設領域に流れ込まないように構成されている。
【００６５】
第１放熱板４５にはメイン回路基板側（背面側）に突出する凸部４５ａが形成されている。この凸部４５ａは、メイン回路基板４１の第１発熱部品４３ａの頂部に貼り付けられた第１冷却シート４４ａの全面を押圧して互いに密接した状態となるように形成されている。第１放熱板４５は、実施の形態１の構成においては、左側面ユニット３３に対して第１熱伝導シート４８ａを介して熱伝導するように接続されている。従って、メイン回路基板４１に実装された発熱部品（４３ａなど）からの熱は、冷却シート（４４ａ、４４ｂ）および第１放熱板４５を介して放熱材料（例えば、アルミ合金など）で構成された左側面ユニット３３により放散される構成となる。また、第１放熱板４５に固定されたヒートシンク５７はファンホルダ５９に隣接して設けられているため、ヒートシンク５７および第１放熱板4５は、ファン５６により空冷される構成となっている。なお、第１熱伝導シート４８ａは、冷却シート４４と同様の構成でもよく、熱伝導性能および電気絶縁性能を有する。
【００６６】
なお、実施の形態１の構成においては、第１放熱板４５が第１熱伝導シート４８ａを介して左側面ユニット３３に熱伝導可能に接続した例で説明するが、加工精度および電気絶縁性において問題がなければ、第１放熱板４５を左側面ユニット３３に直接的に接続した構成とすることも可能である。
【００６７】
［冷却構造］
図１４および図１５は、実施の形態１のボックス型のカメラ１における冷却構造について説明する分解斜視図である。図１４はカメラ１の内部における冷却構造を前側（レンズ側）の斜め上から見た図である。図１５はカメラ１の内部における冷却構造を背面側の斜め上から見た図である。
【００６８】
図１４および図１５に示すように、強制冷却源となるファン５６を保持するファンホルダ５９に隣接して第１放熱板４５が配設されている。また、ファンホルダ５９にはファン５６により直接的に空冷されるヒートシンク（放熱フィン）５７が固定されている。従って、第１放熱板４５は、ヒートシンク５７と共にファン５６により空冷される構成である。
【００６９】
シロッコファンであるファン５６の回転軸はＸ方向に延設するよう配置されており、回転軸（Ｘ軸）方向に吸気され、外周方向に排気される構成である。実施の形態１におけるファン５６が駆動されると、ファン５６の側面側から吸気され、ファン５６の外周に設けたダクトにより一方向、図１４においては右側面側に直線的に排気される構成である。このため、ファン５６が駆動されると、カメラ１の左側面を構成する左側面ユニット３３の吸気口８から空気が取り込まれ、ファン５６の外周方向の右側面ユニット３４の排気口９（図５の（ｃ）参照）に向かって排気される。ファン５６からの空気は、ヒートシンク（放熱フィン）５７を通過して排気口９から排出されるため、ヒートシンク５７および第１放熱板４５が空冷される。上記のように、実施の形態１のカメラ１においては、ファン５６を冷却源としてヒートシンク５７および第１放熱板４５を直接的に空冷する強制冷却構造となっている。
【００７０】
実施の形態１のカメラ１には、上記の強制冷却構造の他に、発熱源（発熱部材）からの熱が効率的にカメラ１の筐体の外面に熱伝導して、カメラ１の外面から放散されて冷却される自然冷却構造を備えている。図１４および図１５に示すように、メイン回路基板（第１回路基板）４１において、前面側に配設された第１放熱板４５に対向する面に実装された複数の第１発熱部品４３ａからの熱は、第１発熱部品４３ａの頂部に貼り付けられた第１冷却シート４４ａを介して第１放熱板４５の凸部４５ａに伝熱される。このように第１放熱板４５に伝わった熱は、第１放熱板４５に固定されたヒートシンク５７（放熱フィン）により放散されると共に、第１放熱板４５から第１熱伝導シート４８ａを介して左側面ユニット３３に伝えられる。カメラ１の筐体の左側面を構成する左側面ユニット３３は、熱伝導の優れた金属材料により主として構成されているため、左側面ユニット３３に伝わった熱は左側面から外部に放散され、自然冷却される。
【００７１】
また、メイン回路基板（第１回路基板）４１において、背面側に配設されたサブ回路基板（第２回路基板）４２に対向する面に実装された複数の第２発熱部品４３ｂからの熱は、各第２発熱部品４３ｂの頂部に貼り付けられた第２冷却シート４４ｂを介して第２放熱板４６の第１接触部４６ａおよび第２接触部４６ｂに伝熱される。第２放熱板４６に伝熱された熱は、第２熱伝導シート４８ｂを介して底面ユニット３６に伝えられる。底面ユニット３６は、熱伝導の優れた金属材料で構成され、カメラ１の筐体の外面を構成しているため、底面ユニット３６に伝わった熱は外部に確実に放散され、自然冷却される。
【００７２】
サブ回路基板（第２回路基板）４２において大きな発熱源となる第３発熱部品４３ｃは、背面側に実装されている。第３発熱部品４３ｃに対する冷却は、前述のように、サブ回路基板４２の前側の対応位置に複数の第３冷却シート４４ｃを貼り付け、第３冷却シート４４ｃに対して第３放熱板４７を密着させる構成である。第３放熱板４７は、第３熱伝導シート４８ｃを介して底面ユニット３６に対して熱伝導可能に接続されている。この結果、サブ回路基板４２に実装された第３発熱部品４３ｃの熱は、サブ回路基板４２、第３冷却シート４４ｃ、第３放熱板４７、および第３熱伝導シート４８ｃを介して底面ユニット３６に伝熱されて、放熱される構成である。
【００７３】
以上のように、実施の形態１のカメラ１における冷却構造は、ファン５６を冷却源としてヒートシンク５７（放熱フィン）および第１放熱板４５に対して直接的に冷却する強制冷却構造を備えると共に、複数の放熱板（４５、４６、４７）、電気絶縁性能を有し熱伝導性能を有する冷却シート４４（４４ａ、４４ｂ、４４ｃ）、少なくとも熱伝導性能を有する熱伝導シート４８（４８ａ、４８ｂ、４８ｃ）およびカメラ１の外面を構成する軽量であり優れた熱伝導性能を有する部材、例えば、金属部材により形成された外面ユニット（左側面ユニット３３、底面ユニット３６などの筐体の少なくとも一部）により構成された自然冷却構造を備えて、優れた冷却性能を有するものとなっている。実施の形態１における自然冷却構造においては、並設された複数の回路基板におけるそれぞれの発熱部品（４３ａ、４３ｂ、４３ｃ）が実装されたそれぞれの点在する領域に対して、熱伝導経路が形成されており、それぞれの発熱部品からの熱が熱伝導経路を介してカメラ１の筐体の外面を構成する外面ユニットに伝熱されて、確実に放熱される構成である。
【００７４】
なお、実施の形態１のカメラ１の構成においては、上記のように複数の発熱部品に対して複数の放熱板、複数の冷却シート、および複数の熱伝導シートを設けた冷却構造の例で説明したが、本開示としてはカメラにおける回路基板に実装される発熱部品の仕様、配置、形状などに応じてこれらの冷却部材が選択的に適宜適用される。
【００７５】
実施の形態１のカメラ１においては、上記のように優れた冷却構造を有すると共に、取り扱いが容易な構成を有している。例えば、実施の形態１のカメラ１の構成においては、固定手段（ネジ穴７）が、天面、底面、左側面、および右側面に設けられた構成であるため、固定フレームに対してカメラ１の取り付け位置を所望の位置に容易に変更することが可能な構成である。また、実施の形態１のカメラ１においては、カメラ１の動作状況を表示するタリーライト１０が、主要な３面の境界となるコーナー部分に設けられており、少なくとも３方向から目視可能な位置に配置されている。更に、カメラ１の取り付け位置を変えることにより、カメラ１の前方側は勿論、上下、左右のいずれの方向からもタリーライト１０の表示状態を確認することが可能となり、取り扱いが容易な構成となっている。
【００７６】
また、実施の形態１のカメラ１においては、カメラ１の背面側の左右のコーナー部分に電源入力端子１４、接続端子３８を設けて、ケーブル接続のための接続空間を確保するために端子カバーが設けられた構成であるため、複数のカメラ１を隣接して並設した構成と使用する場合においても、それぞれのカメラ１に接続した各種ケーブルが隣接するカメラ１の配置に影響を受けることなく容易に接続することが可能となる。
【００７７】
実施の形態１においては、ボックス型の一眼カメラを例示して説明したが、冷却構造としては、その他の撮像装置および電子機器に適用することとが可能であり、そのような撮像装置および電子機器においては、複数の発熱部品が複数の回路基板に分散して実装された構成においても、各発熱部品に対して効率の高い冷却を行うことが可能となり、小型化、軽量化、高機能化、および取り扱いの容易性を実現することが可能となる。
【００７８】
（実施の形態２）
次に、本開示に係る実施の形態２の撮像装置であるカメラについて説明する。実施の形態２のカメラは、使用環境が高温度であるような状況においても使用可能となる外付け冷却ユニットを有するカメラである。図１６は、本開示に係る実施の形態２の外付け冷却ユニット６０を有するカメラ７０を示す斜視図である。図１６の（ａ）は、カメラ７０の右前方の斜め上から見た斜視図である。図１６の（ｂ）はカメラ７０の左後方の斜め上から見た斜視図である。実施の形態２のカメラ７０は、前述の実施の形態１のカメラ本体２に対して外付け冷却ユニット６０を設けた構成である。図１６の（ａ）および（ｂ）においては、カメラ７０として外付け冷却ユニット６０を設けたカメラ本体２を示しているが、このカメラ本体２に対しては交換レンズ３が脱着可能な構成である（図１から図５参照）。
【００７９】
図１６において、前述の実施の形態１と実質的に同一の機能、構成を有する要素には同じ番号を付与している。また、実施の形態２におけるカメラ本体２の構成および動作は、実施の形態１と同じであるので、実施の形態２においては実施の形態１と異なる点を主として説明する。実施の形態２において、実施の形態１と異なる構成は、カメラ本体２が装着される外付け冷却ユニット６０の構成である。
【００８０】
図１７は、外付け冷却ユニット６０を示す斜視図である。図１７の（ａ）が外付け冷却ユニット６０の右前方の斜め上から見た斜視図であり、図１７の（ｂ）が外付け冷却ユニット６０の左後方の斜め上から見た斜視図である。図１６および図１７に示すように、外付け冷却ユニット６０においてＬ字状に折れ曲がったダクトケース６６は、カメラ本体２の吸気口８が形成された左側面ユニット３３と、底面ユニット３６とを覆うように構成されている。
【００８１】
図１８は、外付け冷却ユニット６０を分解して示した斜視図である。図１８に示すように、ダクトケース６６にはペルチェ素子６３が設けられており、ペルチェ素子６３はダクトケース６６の内部空間と外部空間との境界部分に設けられている。ペルチェ素子６３は、直流電流を流すことにより一方の面が吸熱面となり、他方の面が発熱面となる熱電素子である。実施の形態１において、ペルチェ素子６３は、その吸熱面がダクトケース６６の内部空間に対向し、発熱面がダクトケース６６の外部空間に対向するように設けられている。
【００８２】
図１８に示すように、ペルチェ素子６３の外部空間側には発熱側ヒートシンク６２が設けられている。発熱側ヒートシンク６２に対して外部空間の空気を供給するように発熱側ファン６１が設けられている。一方、ペルチェ素子６３の内部空間側には吸熱側ヒートシンク６４が設けられている。吸熱側ヒートシンク６４に対して内部空間の空気を循環して供給するように吸熱側ファン６５が設けられている。このように、実施の形態２の構成においては、ペルチェ素子６３を挟んで外部空間側に発熱側ヒートシンク６２と発熱側ファン６１が設けられ、内部空間側に吸熱側ヒートシンク６４と吸熱側ファン６５が設けられて、外付け冷却構造が構成されている。この外付け冷却構造がダクトケース６６に設けられており、ダクトケース６６は外付け冷却構造の組み立てを容易なものとするために、少なくとも、前面側ダクトケース（第１ダクトケース）６６ａおよび背面側ダクトケース（第２ダクトケース）６６ｂの２つに分割可能な構成となっている。
【００８３】
図１９は、実施の形態２における外付け冷却ユニット６０によりカメラ本体２に対する冷却構造を説明する図である。図１９の（ａ）は、外付け冷却ユニット６０を備えたカメラ７０の側面断面図であり、冷却構造における主要なものを模式的に示している。図１９の（ｂ）は、図１９の（ａ）に示した側面断面図のカメラ７０を左前方の斜め下から見た斜視図である。
【００８４】
図１９の（ａ）において矢印で示すように、熱電素子であるペルチェ素子６３の一方の吸熱面に対向する領域、即ち、ダクトケース６６の内側の領域においては、冷風が循環する構成であり、その冷風がカメラ本体２の左側面と底面とに接触した後、吸熱側ヒートシンク６４を通して吸熱側ファン６５に戻り循環する構成である。反対に、ペルチェ素子６３の他方の発熱面に対向する領域、即ち、ダクトケース６６の外側の領域においては、発熱側ファン６１により発熱側ヒートシンク６２が空冷される構成であり、発熱側ヒートシンク６２からの温風が発熱側ファン６１から装置外部へ排気される構成である。
【００８５】
上記のように、実施の形態２における外付け冷却ユニット６０を備えたカメラ７０においては、ペルチェ素子６３の吸熱面と吸熱側ファン６５とにより冷風が形成され、その冷風がカメラ本体２の外面、特に、放熱面を構成する左側面ユニット３３および底面ユニット３６に接触して、それぞれのユニットを冷却する構成である。この結果、実施の形態２における外付け冷却ユニット６０を備えたカメラ７０は、例えば、使用環境が高温度の地域、場所においても、カメラ本体２の吸気口８には確実に冷風が供給されると共に、カメラ７０の構成部品における発熱部分からの熱が熱伝導経路を介してカメラ外面部分に伝熱されて、確実に空冷される構成である。実施の形態２における外付け冷却ユニット６０は、カメラ７０に対する操作性、およびメモリカードの挿入と取り外しの容易性を考慮して、並びにカメラ７０のケーブル配線に影響を受けることなく冷却ユニット６０を外付け可能とすることを考慮して構成されている。
【００８６】
実施の形態２においては、ボックス型の一眼カメラに対して外付け冷却ユニット６０を設けた構成例で説明したが、外付け冷却ユニットとしては、その他の撮像装置および電子機器に適用することとが可能である。そのような電子機器および撮像装置においても、使用環境が高温度であるような状況において、発熱部品に対して効率の高い冷却を行うことが可能となり、小型化、軽量化、高機能化、および取り扱いの容易性を実現することが可能となる。
【００８７】
以上のように、本開示における技術の例示として、実施の形態を説明した。そのために、詳細な説明および添付の図面を開示した。よって、詳細な説明および添付の図面に記載された構成要素の中には、課題解決のために必須でない構成要素が含まれることがある。したがって、それらの必須でない構成要素が、詳細な説明および添付の図面に記載されているからといって、直ちに、それらの必須ではない構成要素に対して必須であると認定されるべきではない。
【００８８】
上記の実施の形態は、本開示における技術を例示するためのものであるから、特許請求の範囲またはその均等の範囲において種々の変更、置換、付加、省略などを行うことが可能である。
【産業上の利用可能性】
【００８９】
本開示は、複数の発熱部品が複数の回路基板に分散して実装された構成において、各発熱部品に対して効率の高い冷却を行うことが可能となり、小型化、軽量化、高機能化、および取り扱いの容易性を実現することができる市場価値の高い撮像装置を提供するものである。
【符号の説明】
【００９０】
１  カメラ
２  カメラ本体
３  交換レンズ
４  ファンクションボタン
５  ジョグダイヤル
６  アクセサリーシュー
７  ネジ穴（雌ネジ）
８  吸気口
９  排気口
１０  タリーライト
１１  電源スイッチ
１２  レンズ取り外しボタン
１３  制御端子
１４  電源入力端子
１５、１６  カードスロット
１７  カード扉開閉ボタン
１８、１９、２２、２３、２４  端子カバー
２０  カード扉
２１  バッテリー装着部
２５  レンズ保持部
２６  撮像センサ
２７  レンズ用開口
２８  ネジ用開口
３０  カメラ本体ユニット
３１  前面ユニット
３２  背面ユニット
３３  左側面ユニット
３４  右側面ユニット
３５  天面ユニット
３６  底面ユニット
３７  金属ブロック
３８  接続端子
４０  本体フレーム部
４１  メイン回路基板（第１回路基板）
４２  サブ回路基板（第２回路基板）
４３  発熱部品
４３ａ  第１発熱部品
４３ｂ  第２発熱部品
４３ｃ  第３発熱部品
４４  冷却シート
４４ａ  第１冷却シート
４４ｂ  第２冷却シート
４４ｃ  第３冷却シート
４５  第１放熱板
４５ａ  凸部
４６  第２放熱板
４６ａ  第１接触部
４６ｂ  第２接触部
４６ｃ  伝熱部
４７  第３放熱板
４８  熱伝導シート
４８ａ  第１熱伝導シート
４８ｂ  第２熱伝導シート
４８ｃ  第３熱伝導シート
５０  レンズマウントユニット
５１  レンズコネクタユニット
５２  レンズセンサユニット
５３  レンズセンサ回路基板
５４  センサ放熱板
５５  フレームユニット
５６  ファン
５７  ヒートシンク（放熱フィン）
５８  ファンダクトカバー
５９  ファンホルダ
６０  外付け冷却ユニット
６１  発熱側ファン
６２  発熱側ヒートシンク
６３  熱電素子（ペルチェ素子）
６４  吸熱側ヒートシンク
６５  吸熱側ファン
６６  ダクトケース
７０  外付け冷却ユニットを備えたカメラ
【要約】
【課題】小型化、軽量化、および高機能化を図ることができる、取り扱いの容易な撮像装置を提供すること。
【解決手段】撮像装置は、第１発熱部品と第２発熱部品が実装され、前記第１発熱部品と前記第２発熱部品が異なる面に搭載された第１回路基板と、第３発熱部品を搭載する第２回路基板と、第１発熱部品に接触する第１冷却シートと、第１冷却シートを介して第１発熱部品からの熱を筐体に伝熱するための第１放熱板と、第１放熱板を空冷するファンと、第２発熱部品に接触する第２冷却シートと、第２冷却シートを介して第２発熱部品からの熱を筐体に伝熱するための第２放熱板と、第３発熱部品からの熱が伝導するように接触する第３冷却シートと、第３冷却シートを介して第３発熱部品からの熱を筐体に伝熱するための第３放熱板と、を備えている。
【選択図】図１４【図１】
0006924974.tif 000002
【図２】
0006924974.tif 000003
【図３】
0006924974.tif 000004
【図４】
0006924974.tif 000005
【図５】
0006924974.tif 000006
【図６】
0006924974.tif 000007
【図７】
0006924974.tif 000008
【図８】
0006924974.tif 000009
【図９】
0006924974.tif 000010
【図１０】
0006924974.tif 000011
【図１１】
0006924974.tif 000012
【図１２】
0006924974.tif 000013
【図１３】
0006924974.tif 000014
【図１４】
0006924974.tif 000015
【図１５】
0006924974.tif 000016
【図１６】
0006924974.tif 000017
【図１７】
0006924974.tif 000018
【図１８】
0006924974.tif 000019
【図１９】
0006924974.tif 000020